(57)【要約】      （修正有）【課題】エンジンオイルの各部品への引き込み、ろ過および潤滑を加速し、磨損を減少する効果を有する車用フィルターを提供する。【解決手段】本体と、フィルターカートリッジと、複数個の磁性ユニットとを含む。前記フィルターカートリッジは、本体内部に置かれ、複数の収容スペースが形成されたプリーツ状のろ紙が周縁に沿って巻かれている、表面にろ過孔を有する中空の内筒が、内部に設けられている。磁性ユニットは、各収容スペース内に挿設され、相互に反発する磁力領域が内筒内に形成される。【選択図】図１
0003157064.tif 000002
【実用新案登録請求の範囲】
【請求項１】
表面に少なくとも１個以上の入口孔があけてあるとともに、中央に出口孔が貫通しているエンドプレートが底部に設けてある本体と、
本体内部に置かれ、前記本体のエンドプレートの出口孔に対応し連通して流通口が設けてあり、また、表面に複数個のろ過孔が複数個配置してある中空の内筒が内部に設けてあるとともに、収容スペースが形成されたプリーツ状のろ紙が内筒の周縁に沿って巻かれているフィルターカートリッジと、
前記ろ紙の収容スペース内に挿設し、内筒の周縁に沿って巻かれ、かつその間で対応する磁性が同じ磁極に対峙し、相互に反発する磁力領域が前記内筒内に形成された複数個の磁性ユニットと、
を含むことを特徴とする、エンジンオイルろ過を加速する車用フィルター。
【請求項２】
本体とフィルターカートリッジとの間が、スプリングで当接されていることを特徴とする、請求項１に記載のエンジンオイルろ過を加速する車用フィルター。
【考案の詳細な説明】
【技術分野】
【０００１】
本考案は、エンジンオイルろ過を加速する車用フィルターに係り、特にエンジンオイル金属粉および不純物を確実に除去することができ、かつろ過流動の速度を速めることができるものに関する。
【背景技術】
【０００２】
車両エンジンの各部品の動作のプロセスにおける磨損を減少させるため、エンジンの片側にエンジンオイルポンプが設けてあり、さらにエンジンオイルポンプにエンジンオイルフィルターが組み立てられている。エンジンオイルポンプを介して、エンジン底部に位置するエンジンオイルを吸い上げてエンジンオイルフィルターに送ってろ過してから、エンジンの最上方に送った後、分散させてエンジンの各部位に流入させる。エンジンオイルフィルターを介して、潤滑エンジンオイルをろ過し、エンジンオイルに適当な粘度をもたせ、各運動部品を分け、磨損を減少させる。
【０００３】
現在、よく見られるエンジンオイルフィルターの構造としては、出願人が出願し、台湾第４８９９３４号として公告された特許文献がある。この案件は、主にエンジンオイルフィルター本体内に軸方向フィルターカートリッジを設け、この本体底部のエンドプレート上にエンジンオイルを流入および流出させることが可能な入口孔および出口孔が設けてあり、フィルターカートリッジ底面に本体の出口孔と通じる流通口を設け、フィルターカートリッジ内周には内筒が設けてあり、かつ内筒の周縁に沿って折り曲げられたろ紙が巻かれている。その改良点は、このろ紙のプリーツ面上に少なくとも１セット以上の磁性ユニットが貼られていることである。この磁性ユニットは、ろ紙のひだ折り箇所に若干等分に平均して配置することにより、エンジンオイル中の不純物を吸着することができる。
【０００４】
しかしながら、前記公知エンジンオイルフィルターの構造は、エンジンオイル中の不純物を吸着するという期待される効果を達成することができるが、使用上、下記の欠点がある。
＜１＞車両のエンジンを始動したばかりのときに、このエンジンオイルが流動しろ過される速度が速くなく、車両のエンジンの各部品の動作のプロセスにおける潤滑が比較的遅く、磨損しやすく、使用上理想的でない。
【０００５】
＜ロ＞磁性ユニットは、ろ紙のひだ折り箇所に若干等分に平均して配置され、かつこの磁性ユニットは、外表面においてエンジンオイル中の金属粉および不純物を直接磁気吸引するため、エンジンオイルを一定期間ろ過した後、磁性ユニットの表面に金属粉および不純物が付着し、回収して再利用することができない。
【先行技術文献】
【特許文献】
【０００６】
【特許文献１】台湾特許第４８９９３４号
【考案の概要】
【考案が解決しようとする課題】
【０００７】
そのため、本考案のエンジンオイルろ過を加速する車用フィルターは、公知エンジンオイルの流動ろ過速度が速くなく、かつ潤滑が比較的遅く、磨損しやすく、磁性ユニットを回収できない欠点を解決し、改良を行うものである。
【課題を解決するための手段】
【０００８】
本考案は、表面に少なくとも１個以上の入口孔があけてあるとともに中央に出口孔が貫通しているエンドプレートが底部に設けてある本体と、本体内部に置かれ、前記本体のエンドプレートの出口孔に対応し連通して流通口が設けてあり、また、表面にろ過孔が複数個配置してある中空の内筒が内部に設けてあるとともに、収容スペースが複数個形成されたプリーツ状のろ紙が内筒の周縁に沿って巻かれているフィルターカートリッジと、前記ろ紙の収容スペース内に挿設し、内筒の周縁に沿って巻かれ、かつその間で対応する磁性が同じ磁極に対峙し、相互に反発する磁力領域が前記内筒内に形成された複数個の磁性ユニットとを含むエンジンオイルろ過を加速する車用フィルターを提供する。
【０００９】
そのうち、本体とフィルターカートリッジとの間が、スプリングで当接されている。
【考案の効果】
【００１０】
本考案は、下記の長所を有する。
【００１１】
＜１＞磁性ユニットがろ紙の収容スペース内に挿設されており、内筒の周縁に沿って巻かれ、かつ前記磁性ユニットが対応する磁性が同じ磁極に対峙し、相互に反発する磁力領域が内筒内に形成され、エンジンオイルをろ過するとともに引き込みおよび潤滑を加速することができるため、ろ過エンジンオイル中の金属粉および不純物を確実に磁気吸引することができるだけでなく、各部品の潤滑を加速し、磨損を減少する効果を有する。
【００１２】
＜２＞磁性ユニットがろ紙の収容スペース内に挿設されており、前記金属粉および不純物が磁気吸引されるだけでなく、ろ紙の外表面で隔てられるため、磁性ユニット自体に金属粉および不純物の付着がなく、フィルター交換時に、前記磁性ユニットが磁性を有し、回収して再び組み立てて使用することができ、コストを下げることができる。
【００１３】
＜３＞前記内筒内に形成された相互に反発する磁力領域が、エンジンオイルの流動速度を加速し、ろ過効率を向上させることができる。
【図面の簡単な説明】
【００１４】
【図１】本考案の立体構造概略図である。
【図２】本考案の磁性ユニットが形成する磁力領域の断面概略図である。
【図３】本考案のエンジンオイルろ過の実施概略図である。
【図４】本考案の磁性ユニットの磁気吸引作用の概略図である。
【考案を実施するための形態】
【００１５】
図１及び図２に示すように、本考案は、表面に少なくとも１個以上の入口孔（１１１）があけてあるとともに中央に出口孔（１１２）が貫通しているエンドプレート（１１）が底部に設けてある本体（１）と、本体（１）内部に置かれ、本体（１）のエンドプレート（１１）の出口孔（１１２）に対応し連通して流通口（２１）が設けてあり、また、若干のろ過孔（２２１）が配置してある金属製の中空の内筒（２２）が内部に設けてあるとともに、収容スペース（２３１）が複数個内部形成されたプリーツ状のろ紙（２３）が内筒（２２）の周縁に沿って巻かれている（図２参照）フィルターカートリッジ（２）と、ろ紙（２３）の収容スペース（２３１）内に挿設し、内筒（２２）の周縁に沿って巻かれ、かつ対応する磁性が同じ磁極に対峙し、相互に反発する磁力領域（３１）が内筒（２２）内に形成された複数個の磁性ユニット（３）と（図２参照)、本体（１）とフィルターカートリッジ（２）との間を当接するスプリング（４）と、を含むエンジンオイルろ過を加速する車用フィルターを提供する。
【００１６】
本考案実施時に、図２および図３、図１に示すとおり、フィルターカートリッジ（２）のプリーツ状のろ紙（２３）は、連続プリーツ箇所の内部に収容スペース（２３１）が複数個形成され、強い磁性を有する磁性ユニット（３）を挿設する。磁性ユニット（３）は、ろ紙（２３）に若干等分に平均して配置する（使用する磁性の違いに応じて任意に増減できる）。かつ磁性ユニット（３）は、内筒（２２）の周縁に沿って巻かれ、内筒（２２）は、磁性ユニット（３）における同じ磁極が相互に対応するために、後に形成される相互に反発する磁力領域（３１）に対応する。エンジンオイルが本体（１）のエンドプレート（１１）の底面のエンジンオイル入口孔（１１１）からフィルターカートリッジ（２）に流入するとき、磁性ユニット（３）は、その強い磁性のため、エンジンオイル中の金属粉（５）および不純物を吸着することができ、金属粉（５）および不純物をろ紙（２３）の外に隔てる。かつ相互に反発する磁力領域（３１）を内筒（２２）内に形成し、エンジンオイルを引き込みフィルターカートリッジ（２）内に流入させ、フィルターカートリッジ（２）内部中央の流通口（２１）から流出させることを加速することができる。さらに、エンドプレート（１１）中央の出口孔（１１２）から清浄なエンジンオイルを流出させる。エンジンオイル中の金属粉および不純物を確実にろ過することができるだけでなく、各部品のろ過および潤滑を加速し、磨損を減少する効果を有する。
【００１７】
また、磁性ユニット（３）がろ紙（２３）の収容スペース（２３１）内に挿設されており、金属粉（５）が磁気吸引されるだけでなく、不純物がろ紙（２３）の外表面で隔てられる（図４参照）ため、磁性ユニット（３）自体に金属粉（５）および不純物の付着がなく、フィルター交換時に、磁性ユニット（３）が磁性を有し、回収して再び組み立てて使用することができ、コストを下げることができる。
【符号の説明】
【００１８】
１         本体
１１       エンドプレート
１１１     入口孔
１１２     出口孔
２         フィルターカートリッジ
２１       流通口
２２       内筒
２２１     ろ過孔
２３       ろ紙
２３１     収容スペース
３         磁性ユニット
３１       磁力領域
４         スプリング
５         金属粉末
【図１】
0003157064.tif 000003
【図２】
0003157064.tif 000004
【図３】
0003157064.tif 000005
【図４】
0003157064.tif 000006